(57)【要約】【課題】本発明は、外表面の表示態様がリバーシブルに変化する応援グッズ、ケース、装飾体及び玩具を提供すること。【解決手段】一対の半割柱体を、半割面を下方にして左右に並置した状態で、表面側と裏面側でそれぞれ異なる表示面を備えた少なくとも２枚の連結帯で連結し、しかも、前記連結帯のうち、第１の連結帯は、左の半割柱体の左外縁部と右の半割柱体の左外縁部とを、左の半割柱体の半柱体周面を跨いだ状態で連結し、第２の連結帯は、左の半割柱体の右外縁部と右の半割柱体の右外縁部とを、右の半割柱体の半柱体周面を跨いだ状態で連結し、前記一対半割柱体の半割面同士を突き合わせた状態の柱体外表面と、この状態から、少なくとも一方の半割柱体を他方の半割柱体の半柱体周面に沿わせて回転させ、再び前記半割面同士を突き合わせた状態の柱体外表面とで、異なる表示態様を表出する可変表示構造を備える構成とした。【選択図】図９
2010115269.tif 000002
【特許請求の範囲】
【請求項１】
半割面同士を突き合わせたときに所定の柱体を構成可能な一対の半割柱体を形成し、
前記一対の半割柱体を、前記半割面を下方にして左右に並置した状態で、表面側と裏面側でそれぞれ異なる表示面を備えた少なくとも２枚の連結帯で連結し、
前記連結帯のうち、第１の連結帯は、左の半割柱体の左外縁部と右の半割柱体の左外縁部とを、左の半割柱体の半柱体周面を跨いだ状態で連結し、
第２の連結帯は、左の半割柱体の右外縁部と右の半割柱体の右外縁部とを、右の半割柱体の半柱体周面を跨いだ状態で連結し、
前記一対の半割柱体の半割面同士を突き合わせた状態の第１の柱体外表面と、この状態から、少なくとも一方の半割柱体を他方の半割柱体の半柱体周面に沿わせて回転させ、再び前記半割面同士を突き合わせた状態の第２の柱体外表面とで、異なる表示態様を表出する可変表示構造を備え、
さらに、前記一対の半割柱体の半割面それぞれに、両半割面同士を合わせたときに、互いに反発するようにマグネットを配設したことを特徴とする応援グッズ。
【請求項２】
それぞれ内部収納空間を有し、半割面同士を突き合わせたときに所定の柱体を構成可能な一対の半割柱体を形成し、
前記一対の半割柱体を、前記半割面を下方にして左右に並置した状態で、表面側と裏面側でそれぞれ異なる表示面を備えた少なくとも２枚の連結帯で連結し、
前記連結帯のうち、第１の連結帯は、左の半割柱体の左外縁部と右の半割柱体の左外縁部とを、左の半割柱体の半柱体周面を跨いだ状態で連結し、
第２の連結帯は、左の半割柱体の右外縁部と右の半割柱体の右外縁部とを、右の半割柱体の半柱体周面を跨いだ状態で連結し、
前記一対の半割柱体の半割面同士を突き合わせた状態の第１の柱体外表面と、この状態から、少なくとも一方の半割柱体を他方の半割柱体の半柱体周面に沿わせて回転させ、再び前記半割面同士を突き合わせた状態の第２の柱体外表面とで、異なる表示態様を表出する可変表示構造を備え、
しかも、前記各半割柱体の前記半割面を除く外周面であって、前記第１の連結体又は第２の連結帯で覆われる位置に、前記内部収納空間から収納物を取出す収納物取出口をそれぞれ形成したことを特徴とするケース。
【請求項３】
前記一対の半割柱体の半割面それぞれにマグネットを配設し、両半割面同士を合わせたときに磁着可能としたことを特徴とする請求項２に記載のケース。
【請求項４】
ストラップに取り付けられる装飾体であって、
半割面同士を突き合わせたときに所定の柱体を構成可能な一対の半割柱体を形成し、
前記一対の半割柱体を、前記半割面を下方にして左右に並置した状態で、表面側と裏面側でそれぞれ異なる表示面を備えた少なくとも２枚の連結帯で連結し、
前記連結帯のうち、第１の連結帯は、左の半割柱体の左外縁部と右の半割柱体の左外縁部とを、左の半割柱体の半柱体周面を跨いだ状態で連結し、
第２の連結帯は、左の半割柱体の右外縁部と右の半割柱体の右外縁部とを、右の半割柱体の半柱体周面を跨いだ状態で連結し、
前記一対の半割柱体の半割面同士を突き合わせた状態の柱体外表面と、この状態から、少なくとも一方の半割柱体を他方の半割柱体の半柱体周面に沿わせて回転させ、再び前記半割面同士を突き合わせた状態の柱体外表面とで、異なる表示態様を表出する可変表示構造を備え、
さらに、一方の半割柱体の頂部端面に紐取り付け部を形成したことを特徴とする装飾体。
【請求項５】
半割面同士を突き合わせたときに所定の柱体を構成可能な一対の半割柱体を形成し、
前記一対の半割柱体を、前記半割面を下方にして左右に並置した状態で、表面側と裏面側でそれぞれ異なる表示面を備えた少なくとも２枚の連結帯で連結し、
しかも、前記連結帯のうち、第１の連結帯は、左の半割柱体の左外縁部と右の半割柱体の左外縁部とを、左の半割柱体の半柱体周面を跨いだ状態で連結し、
第２の連結帯は、左の半割柱体の右外縁部と右の半割柱体の右外縁部とを、右の半割柱体の半柱体周面を跨いだ状態で連結し、
前記一対の半割柱体の半割面同士を突き合わせた状態の柱体外表面と、この状態から、少なくとも一方の半割柱体を他方の半割柱体の半柱体周面に沿わせて回転させ、再び前記半割面同士を突き合わせた状態の柱体外表面とで、異なる表示態様を表出する可変表示構造を備えたことを特徴とする玩具。
【請求項６】
前記連結帯は、交換可能であることを特徴とする請求項５記載の玩具。
【発明の詳細な説明】
【技術分野】
【０００１】
この発明は、半割面同士を突き合わせたときに所定の柱体を構成可能な一対の半割柱体を備え、柱体外表面に異なる表示態様を表出する可変表示構造を備えた応援グッズ、ケース、装飾体、及び玩具に関するものである。
【背景技術】
【０００２】
従来、応援グッズは音を発生させて応援するものが主体となっているが、視覚的に変化に富み、かつ誰でも気軽に使用できる応援グッズは特に存在していなかった。そこで、筒状の外ケースと、該外ケース内に移動可能に配設されて房体を装着する移動体とを備え、前記外ケースは、元部に握り部を有して先端部に向かって拡径となるテーパ状に形成され、前記移動体は、一端に前記房体を固着するとともに、他端に前記外ケースを挿通するエンドレス状の紐体を連結して構成され、前記移動体が前記外ケースの先方に向かって移動する際は、前記房体を前記外ケースの先端部より突出させるとともに前記紐体で前記房体の突出を規制させ、前記移動体が前記外ケースの元部側に移動する際は、前記紐体を前記外ケースの元部より突出させるように構成された応援グッズが提案された（例えば、特許文献１を参照。）。
【０００３】
これによれば、房体を出入させることによって華やかさを増すことができ、視覚的にも応援雰囲気を盛り上げることができるとともに、これを振ることによって、移動体が外ケースに当たって音を発生するため、応援グッズとしての効果を発揮することができるとされている。
【０００４】
一方、視覚的美観や面白みを付与することを目的として、従来より、外観が変化する様々なからくり装置が提案されており、例えば、立体的に視覚的美観や面白味を有する構成の立体からくり 装置も提案されている（例えば、特許文献２を参照。）。
【０００５】
また、筆箱などに代表される箱型や筒型のケースは、ケース本体の表面に人気キャラクタ、動物、風景など、消費者が購入意欲を掻き立てるようなデザインが表示されて販売されている。このケース本体の表面に表示される人気キャラクタなどのデザインは購入のときに表示されたデザインのまま使用されるのですぐに飽きられてしまい、使用者の関心や興味を持続的に引きつけることはできなかった。
【０００６】
この課題に注目して、単なるケースから脱却し、知的なゲームができる付加価値を備えることにより、ケースに対する関心や興味を持続させるとともに、遊びながら幼児や年少者の知性の発達を促すことができる技術が開示されている（例えば、特許文献３を参照。）。これは、ゲーム付き容器に関するもので、容器の外側に形成した複数のドーナツ状の回転体をそれぞれ回転させて絵合わせゲームをすることができる構成としたものである。
【特許文献１】特開２００８−１１９３８５号公報
【特許文献２】特開２００７−２４４７６６号公報
【特許文献３】特開平９−３１３７４８号公報
【発明の開示】
【発明が解決しようとする課題】
【０００７】
しかし、特許文献１に記載された技術は、視覚的には変化があるとは言えず、さらなる面白みのある応援グッズの提供が望まれるところである。
また、特許文献２に記載された技術は、立体的な面白さはあるものの、この構造を、様々な物品に適用することは難しい。
さらに、特許文献２に記載されているように、ドーナツ状の回転体を複数作成しそれぞれを回転可能に作成して組み立てたものは、形状的に容器外観の美観を損なうおそれがあり、しかも、構成上、高価なものとなってしまうにもかかわらず、単なる絵合わせゲームしか行えないものであった。
【０００８】
本発明は上記問題点を解消し、本体表面のデザインをリバーシブルに可変とする可変表示構造を有する応援グッズ、ケース、及び玩具を提供することを目的とする。
【課題を解決するための手段】
【０００９】
請求項１の発明では、半割面同士を突き合わせたときに所定の柱体を構成可能な一対の半割柱体を形成し、前記一対の半割柱体を、前記半割面を下方にして左右に並置した状態で、表面側と裏面側でそれぞれ異なる表示面を備えた少なくとも２枚の連結帯で連結し、前記連結帯のうち、第１の連結帯は、左の半割柱体の左外縁部と右の半割柱体の左外縁部とを、左の半割柱体の半柱体周面を跨いだ状態で連結し、第２の連結帯は、左の半割柱体の右外縁部と右の半割柱体の右外縁部とを、右の半割柱体の半柱体周面を跨いだ状態で連結し、前記一対の半割柱体の半割面同士を突き合わせた状態の第１の柱体外表面と、この状態から、少なくとも一方の半割柱体を他方の半割柱体の半柱体周面に沿わせて回転させ、再び前記半割面同士を突き合わせた状態の第２の柱体外表面とで、異なる表示態様を表出する可変表示構造を備え、さらに、前記一対の半割柱体の半割面それぞれに、両半割面同士を合わせたときに、互いに反発するようにマグネットを配設した応援グッズとした。
【００１０】
また、請求項２の発明では、それぞれ内部収納空間を有し、半割面同士を突き合わせたときに所定の柱体を構成可能な一対の半割柱体を形成し、前記一対の半割柱体を、前記半割面を下方にして左右に並置した状態で、表面側と裏面側でそれぞれ異なる表示面を備えた少なくとも２枚の連結帯で連結し、前記連結帯のうち、第１の連結帯は、左の半割柱体の左外縁部と右の半割柱体の左外縁部とを、左の半割柱体の半柱体周面を跨いだ状態で連結し、第２の連結帯は、左の半割柱体の右外縁部と右の半割柱体の右外縁部とを、右の半割柱体の半柱体周面を跨いだ状態で連結し、前記一対の半割柱体の半割面同士を突き合わせた状態の第１の柱体外表面と、この状態から、少なくとも一方の半割柱体を他方の半割柱体の半柱体周面に沿わせて回転させ、再び前記半割面同士を突き合わせた状態の第２の柱体外表面とで、異なる表示態様を表出する可変表示構造を備え、しかも、前記各半割柱体の前記半割面を除く外周面であって、前記第１の連結体又は第２の連結帯で覆われる位置に、前記内部収納空間から収納物を取出す収納物取出口をそれぞれ形成したケースとした。
【００１１】
また、請求項３の発明は、請求項２に記載の発明において、前記一対の半割柱体の半割面それぞれにマグネットを配設し、両半割面同士を合わせたときに磁着可能としたことを特徴とする。
【００１２】
また、請求項４の発明では、ストラップに取り付けられる装飾体であって、半割面同士を突き合わせたときに所定の柱体を構成可能な一対の半割柱体を形成し、前記一対の半割柱体を、前記半割面を下方にして左右に並置した状態で、表面側と裏面側でそれぞれ異なる表示面を備えた少なくとも２枚の連結帯で連結し、前記連結帯のうち、第１の連結帯は、左の半割柱体の左外縁部と右の半割柱体の左外縁部とを、左の半割柱体の半柱体周面を跨いだ状態で連結し、第２の連結帯は、左の半割柱体の右外縁部と右の半割柱体の右外縁部とを、右の半割柱体の半柱体周面を跨いだ状態で連結し、前記一対の半割柱体の半割面同士を突き合わせた状態の柱体外表面と、この状態から、少なくとも一方の半割柱体を他方の半割柱体の半柱体周面に沿わせて回転させ、再び前記半割面同士を突き合わせた状態の柱体外表面とで、異なる表示態様を表出する可変表示構造を備え、さらに、一方の半割柱体の頂部端面に紐取り付け部を形成した。
【００１３】
また、請求項５の発明では、半割面同士を突き合わせたときに所定の柱体を構成可能な一対の半割柱体を形成し、前記一対の半割柱体を、前記半割面を下方にして左右に並置した状態で、表面側と裏面側でそれぞれ異なる表示面を備えた少なくとも２枚の連結帯で連結し、しかも、前記連結帯のうち、第１の連結帯は、左の半割柱体の左外縁部と右の半割柱体の左外縁部とを、左の半割柱体の半柱体周面を跨いだ状態で連結し、第２の連結帯は、左の半割柱体の右外縁部と右の半割柱体の右外縁部とを、右の半割柱体の半柱体周面を跨いだ状態で連結し、前記一対の半割柱体の半割面同士を突き合わせた状態の柱体外表面と、この状態から、少なくとも一方の半割柱体を他方の半割柱体の半柱体周面に沿わせて回転させ、再び前記半割面同士を突き合わせた状態の柱体外表面とで、異なる表示態様を表出する可変表示構造を備えた玩具とした。
【００１４】
さらに、請求項６の発明は、請求項５記載の発明において、前記連結帯は、交換可能であることを特徴とする。
【発明の効果】
【００１５】
請求項１記載の発明によれば、それぞれの連結帯は、柱体の周面に沿って回転移動するときに表面側と裏面側とが反転するので、連結帯及び半割柱体の周面に表示させたデザインを変えることができる。しかも、一対の半割柱体を合わせたり、離したりして、あたかもカスタネットのように音を出すことができるため、例えば、ベースボールの試合で、ホームゲームとビジターゲームとで使い分けができる有用な応援グッズとなる。
【００１６】
請求項２記載の発明によれば、それぞれの連結帯は、柱体の周面に沿って回転移動するときに表面側と裏面側とが反転するので、連結帯及び半割柱体の周面の表示態様を変えることができる。したがって、半割柱体ごとに種類の異なる収納物を収納しながら、柱体外表面の表示態様に応じた収納物を他の収納物と間違うことなく取り出すことができる。
【００１７】
請求項３記載の発明によれば、お洒落なケースとして携行可能となり、また、少なくとも２種類以上の収納物を収納しながら、所望する収納物を他の収納物と間違うことなく取り出すことができる。
【００１８】
請求項４記載の発明によれば、それぞれの連結帯は、柱体の周面に沿って回転移動するときに表面側と裏面側とが反転するので、連結帯及び半割柱体の周面の表示態様を変えることができる。半割柱体の動きとこれに伴う表示態様の変化によって、使用者の興趣を高めることができ、例えば、携帯電話のストラップなどに好適に用いることができる。
【００１９】
請求項５記載の発明によれば、それぞれの連結帯は、柱体の周面に沿って回転移動するときに表面側と裏面側とが反転するので、連結帯及び半割柱体の周面に表示させたデザインを、あたかも手品のように瞬時に変えることができる。このような半割柱体の動きとこれに伴うデザインの変化によって、使用者の興趣を高めることのできる玩具となすことができる。
【００２０】
請求項６記載の発明によれば、使用を持続しているあいだに飽きてしまっても、連結帯を任意に交換できるので、興味をさらに持続することができる。
【発明を実施するための最良の形態】
【００２１】
以下に、本発明の一実施形態について図面を参照しながら説明する。図１は基本構造である可変表示構造を備えた本発明の一実施形態に係る玩具の説明図である。
【００２２】
（実施形態１）
図１（ａ）は本実施形態１の玩具を起立させた状態の斜視図であり、図示するように、玩具は、２枚の連結帯１１，１２で互いに連結された一対の半割柱体１１ａ，１１ｂを備え、両半割柱体１１ａ，１１ｂの矩形平面部を突き合わせると、矩形平面部の一方の端縁が開放端縁となり、他方が前記連結帯１１，１２により連結された閉塞端部となる所定の柱体１１が構成されるようになっている。すなわち、所定長の柱体１１を中央部から縦割りの状態に切断し、左の半割柱体１１ａと右の半割柱体１１ｂとに分離し、左の半割柱体１１ａと右の半割柱体１１ｂとを、連結帯１２及び連結帯１３からなる２枚の連結帯で連結している。
【００２３】
なお、本実施形態においては、柱体１１として円柱体で説明するが、柱体１１は、例えば六角柱体などのような角柱体でもよく、半割としたとき左右対称な形状となる柱体であればどのような柱体でもよい。また、柱体１１は、中実体であっても中空体であっても構わないが、その材料は、持ち運びのときに便利なように紙やプラスチックなど軽量な材料とすることが望ましい。
【００２４】
左右の半割柱体１１ａ，１１ｂが組み合わされた柱体１１の表面には、図において下側に位置する連結帯１２の表面部１２ａ、図において上側に位置する連結帯１３の表面部１３ａが表出するとともに、左の半割柱体１１ａの半柱体上部周面２３ａ及び右の半割柱体１１ｂの半柱体下部周面２２ａが表出されている。ここで、上下に並べて配置される連結帯１２の表面部１２ａ及び連結帯１３の表面部１３ａと、左の半割柱体１１ａの半柱体上部周面２３ａ及び右の半割柱体１１ｂの半柱体下部周面２２ａとは、それぞれ同系のデザイン（色、画像、文字などを含む）が施されている。したがって、玩具は、外観視において、同系のデザインが外表面に表示されることになる。
【００２５】
図１（ｂ）は、左右の半割柱体１１ａ，１１ｂを、半割面となる矩形平面部を下方にして左右に並置した状態した外観図、図１（ｃ）はその展開図である。
図１（ｂ）、図１（ｃ）に示すように、左右の半割柱体１１ａ，１１ｂを、半割面を下方にして左右に並置した状態で、連結帯１２は左の半割柱体１１ａの左下外縁部１４ａと右の半割柱体１１ｂの左下外縁部１５ａとを、左の半割柱体１１ａの半柱体下部周面２２ｂを跨いだ状態で連結しており、連結帯１３は、左の半割柱体１１ａの右上外縁部１４ｂと右の半割柱体１１ｂの右上外縁部１５ｂとを、右の半割柱体１１ｂの半柱体上部周面２３ｂを跨いだ状態で連結している。
【００２６】
従って、柱体１１の表面には、連結帯１２の表面部１２ａ、連結帯１３の表面部１３ａ、左の半割柱体１１ａの半柱体上部周面２３ａ、及び右の半割柱体１１ｂの半柱体下部周面２２ａは表出するものの、連結帯１２の裏面部１２ｂ、連結帯１３の裏面部１３ｂ、左の半割柱体１１ａの半柱体下部周面２２ｂ、及び右の半割柱体１１ｂの半柱体上部周面２３ｂは表出しない構成となる。
【００２７】
連結帯１２及び連結帯１３は、柱体１１の外周にフィットさせることができるように、例えば丈夫な紙材や薄いプラスチックフイルム等のフレキシブルな材料で形成することが好ましく、かかる連結帯１２及び連結帯１３を用いることで、その表裏面及び柱体１１の外周面を含めて表示されたキャラクタや風景などのデザインを簡単な動作で別の異なるデザインに変えることができるようになる。
【００２８】
以下、キャラクタや風景などのデザインを別の異なるデザインに変える方法を説明する。図２は本実施形態１にかかる連結帯のデザインを別の異なるデザインに変える方法を示した説明図である。図２（ａ）は、右の半割柱体１１ｂが左の半割柱体１１ａの半柱体周面２１ａに沿って回転移動する状態を示した説明図、図２（ｂ）は、右の半割柱体１１ｂが左の半割柱体１１ａの半柱体周面２１ａに沿って回転移動するときの連結帯１２及び連結帯１３を示した展開図である。また、図３は、右の半割柱体１１ｂが左の半割柱体１１ａの半柱体周面２１ａに沿って回転移動後の外観図である。
【００２９】
図２（ａ）、図２（ｂ）に示すように、左の半割柱体１１ａ、右の半割柱体１１ｂを、半割面を下方にして左右に並置した状態にし、左の半割柱体１１ａの外周面に沿って、右の半割柱体１１ｂの外周面を沿わせるように回転させる。このとき、右の半割柱体１１ｂは３６０度回転し、位置的には右から左へ平行移動することになる。これにより、左の半割柱体１１ａの半柱体下部周面２２ｂに跨いで形成された連結帯１２は、左の半割柱体１１ａから剥がされて右の半割柱体１１ｂの半柱体下部周面２２ａに沿って巻き付けられていく。同時に、右の半割柱体１１ｂの半柱体上部周面２３ｂに跨いで形成されていた連結帯１３は右の半割柱体１１ｂから剥がされて左の半割柱体１１ａの半柱体上部周面２３ａに沿って巻き付けられていく。
【００３０】
従って、連結帯１２は、左の半割柱体１１ａから剥がされて右の半割柱体１１ｂの半柱体下部周面２２ａに沿って巻き付けられていくので、連結帯１２の表面部１２ａ及び右の半柱体１１ｂの半柱体下部周面２２ａは隠れていき、逆に連結帯１２の裏面部１２ｂ及び左の半割柱体１１ａの半柱体下部周面２２ｂが現れてくる。
また、同時に、連結帯１３は、右の半割柱体１１ｂから剥がされて左の半割柱体１１ａの半柱体上部周面２３ａに沿って巻き付けられていくので、連結帯１３の表面部１３ａ及び、左の半割柱体１１ａの半柱体上部周面２３ａは隠れていき、逆に連結帯１３の裏面部１３ｂ及び右の半割柱体１１ｂの半柱体上部周面２３ｂが現れてくる。
【００３１】
そして、左右の半割柱体１１ａ，１１ｂの位置が入れ替わり、図３に示すように、連結帯１２の裏面部１２ｂ、連結帯１３の裏面部１３ｂ、回転移動前の左の半割柱体１１ａの半柱体下部周面２２ｂ、及び回転移動前の右の半割柱体１１ｂの半柱体上部周面２３ｂが表出することになる。
【００３２】
その後、図３（ｂ）のように半割柱体１１ａ、１１ｂとの半割面を閉じて合わせると、回転移動前の柱体１１（図１（ａ）参照）とは形状は同一であるが、表面に露出した部分のデザインを回転移動の前後で異ならせることができる。
【００３３】
このように、連結帯１２の表面部１２ａ、連結帯１３の表面部１３ａ、左の半割柱体１１ａの半柱体上部周面２３ａ、及び右の半割柱体１１ａの半柱体下部周面２２ａとで形成されるイラスト、人気キャラクタや写真などのデザインと、連結帯１２の裏面部１２ｂ、連結帯１３の裏面部１３ｂ、回転移動前の左の半割柱体１１ａの半柱体下部周面２２ｂ、及び回転移動前の右の半割柱体１１ｂの半柱体上部周面２３ｂとで形成されるデザインとを互いに異なるデザインとすることにより、半割柱体１１ａ、１１ｂの半割面同士を突き合わせて柱体１１を形成した状態から、少なくとも一方の半割柱体１１ａ（１１ｂ）を他方の半割柱体１１ｂ（１１ａ）の外周面に沿わせて回転させ、再び半割柱体１１ａ、１１ｂの半割面同士を突き合わせて柱体１１を形成した場合は、同一の柱体１１でありながら外表面のデザインを異ならせることができる。
【００３４】
この結果、柱体１１の表面に表示される人気キャラクタなどのデザインを、いつでも任意に変えることができるようになり、かかる可変表示構造を備えた玩具の使用を持続しているときにすぐに飽きてしまうことがなくなって、玩具に対する関心や興味を持続的に引きつけることができるようになる。
【００３５】
なお、図１〜３では、別の異なるデザインに変える方法を説明するのに、動作状態を分かりやすくするために、左右の半割柱体１１ａ，１１ｂを、その半割面を下方にして左右に並置した状態で説明したが、実際の使用においては、通常、左右の半割柱体１１ａ，１１ｂの半割面同士を突き合わせて柱体１１を形成した状態から、左右の半割柱体１１ａ、１１ｂ同士を互いの外周面に沿って回転させることにより、柱体１１の外周面のデザインを変えることになる。図４は、本実施形態に係る玩具の表面デザインを、別の異なるデザインに変える通常の方法を示した説明図である。
【００３６】
すなわち、図４（ａ）に示すように、柱体１１を構成した左の半割柱体１１ａと右の半割柱体１１ｂとを、図中の矢印の方向に回転させると、一方の半割柱体１１ａ（１１ｂ）が相対的に１８０度回転したときには、図４（ｂ）に示すように、両者の半割面が同一平面になるようにして並立状態となる。
この状態から、さらに、図４（ｂ）の矢印の方向に、それぞれの半割柱体同士の外周面を合わせるように外周面に沿って回転させて、図４（ｃ）に示すように半割面を再度合わせた状態とすれば、半割面を下方にして左右に並置しなくても、玩具を手にした宙にある状態であっても外表面のデザインを、いつでも任意の場所で別のデザインとすることができる。
【００３７】
上述してきた例では、左右の半割柱体１１ａ，１１ｂの外周面（上部周面２３ａ，２３ｂ，下部周面２２ｂ，２２ａ）に、直接デザインを施したものとして説明したが、他の実施形態として、左右の半割柱体１１ａ，１１ｂの外周面に、連結帯１２や連結帯１３に対応したデザインを表面に施した表示体１６〜１９を貼付してもよい。
図５は、本実施形態に係わる表示部の一構成を示した図である。図５（ａ）に示すように、左の半割柱体１１ａの半柱体上部周面２３ａに表示体１７を、右の半割柱体１１ｂの半柱体下部周面２２ａには表示体１６を貼付している。また、左の半割柱体１１ａの半柱体下部周面２２ｂに表示体１８を、右の半割柱体１１ｂの半柱体上部周面２３ｂには表示体１９を貼付している。これら表示体１６〜１９は、連結帯１２及び連結帯１３と同一の材料とするのが望ましく、フレキシブルな材料、例えば薄い紙や薄いプラスチックフイルム等で形成する。
【００３８】
そして、柱体１１の表面には、連結帯１２の表面部１２ａ、連結帯１３の表面部１３ａ、表示体１７、表示体１６とで全体が形成されるイラストや人気キャラクタ、写真等のデザインと、連結帯１２の裏面部１２ｂ、連結帯１３の裏面部１３ｂ、表示体１９、表示体１８とで形成するデザインとを異なるデザインとすることにより、半割柱体１１ａ、１１ｂの少なくとも一方が回転させると、図５（ｂ）に示すように、同一の柱体１１でありながら、２つの異なるデザインを表示することができる。
【００３９】
また、連結帯１２、連結帯１３及び表示体１６、表示体１７、表示体１８、表示体１９は、取替え可能な構成とすることができる。例えば、連結帯１２、連結帯１３、表示体１８、表示体１９をそれぞれ着脱自在に連結するキー溝を有する連結部を設けてもよいが、連結帯１２、連結帯１３及び表示体１６、表示体１７、表示体１８、表示体１９を、両面テープなどの接着テープで簡単に取り付けても構わない。
【００４０】
（変形例）
ところで、上述してきた実施形態では、連結帯１２及び連結帯１３の２本で左右の半割柱体１１ａ，１１ｂを連結した構成として説明したが、連結帯は２本に限ることはなく、多数の連結帯としてもよい。
図６〜図８は、変形例に係わる玩具の説明図であり、本変形例では、一対をなす第１の半割柱体４１と第２の半割柱体４２とを、その矩形平面部同士を突き合わせると、所定の柱体４３となるように構成するとともに、これら第１の半割柱体４１と第２の半割柱体４２とを、表面部３１ａ，３２ａ，３３ａを、黒を基調とするデザイン、裏面部３１ｂ，３２ｂ，３３ｂを、白を基調とするデザインとした連結帯３１、連結帯３２、連結帯３３の３つの連結帯で連結している。
【００４１】
すなわち、図６（ａ）及び図６（ｄ）に示すように、この実施形態２では、玩具の外表面の全体の色が、黒を基調とするデザインと白を基調とするデザインとに可変となるようにしたものであり、そのために、ここでは、図７に示すように、第１の半割柱体４１を、上側から第１上部周面４１Ｔ、第１中部周面４１Ｍ、第１下部周面４１Ｂと３ブロックに区画するとともに、第２の半割柱体４２を、上側から第２上部周面４２Ｔ、第２中部周面４２Ｍ、第２下部周面４２Ｂと３ブロックに区画し、第１上部周面４１Ｔ、第２中部周面４２Ｍ及び第１下部周面４１Ｂに黒を基調とするデザインを施す一方、第１中部周面４１Ｍ、第２上部周面４２Ｔ及び第２下部周面４２Ｂに白を基調とするデザインを施している。
【００４２】
また、連結帯３１〜３３の連結態様としては、図７に示すように、第１の半割柱体４１と第２の半割柱体４２との半割面（矩形平面部）を下にして両者を並置したとき、連結帯３１及び連結帯３３は、一端３１ｃ，３３ｃを第１の半割柱体４１の図面における右側の上外縁部４１ｃ及び下外縁部４１ｅと、他端３１ｄ，３３ｄを第２の半割柱体４２の図面における右側の上外縁部４２ｃ及び下外縁部４２ｅと連結して、それぞれが第２の半割柱体４２の外周面を跨いだ状態で配設する一方、連結帯３１と連結帯３３との間に配置される連結帯３２は、その一端３２ｃを第１の半割柱体４１の図面における左側の中外縁部４１ｆと、他端３２ｄを第２の半割柱体４２の図面における左側の中外縁部４２ｇと連結して、第１の半割柱体４１の外周面を跨いだ状態に配設している。
【００４３】
連結帯３１、連結帯３２及び連結帯３３で上述したように連結された第１の半割柱体４１と第２の半割柱体４２を、それらの半割面（矩形平面部）を下にして両者を並置した状態を図８（ａ）に示している。また、この状態から第１の半割柱体４１の第１上部周面４１Ｔ及び第２の半割柱体４２の第２上部周面４２Ｔを上にして起立させ、両者の半割面（矩形平面部）を互いに突き合わせた状態が図６（ａ）に示されている。
図示するように、この場合の玩具は、外表面全体が、第１上部周面４１Ｔ、連結帯３２の表面部３２ａ、第１下部周面４１Ｂ、連結帯３１の表面部３１ａ、第２中部周面４２Ｍ、及び連結帯３３の表面部３３ａにより、黒を基調とするデザインで表示される。
【００４４】
また、外表面が黒を基調とするデザインで表示されたこの図６（ａ）の状態から、図６（ｂ）に示す矢印方向に第１の半割柱体４１と第２の半割柱体４２を回転させ、図６（ｃ）に示すように、第１の半割柱体４１と第２の半割柱体４２との各半割面（矩形平面部）が同一平面をなす状態を経て、さらに、少なくとも一方の半割柱体４１（４２）を他方の半割柱体４２（４１）の外周面に沿わせて回転させ、再び半割柱体４１、４２の半割面同士を突き合わせて柱体４３を形成した場合は、図６（ｄ）に示すように、同一の柱体４３でありながら外表面が白を基調とするデザインに異なって表示される。
【００４５】
図６（ｃ）に示した状態に対応する状態が図８（ａ）に示されており、上述した少なくとも一方の半割柱体４１（４２）を他方の半割柱体４２（４１）の外周面に沿わせて回転する状態を、図８（ｂ）及び図８（ｃ）を用いて説明する。
【００４６】
図８（ｂ）で示した状態は、第２の半割柱体４２を横臥姿勢の第１の半割柱体４１の外周面に沿わせて１８０度回転させた状態であり、第１の半割柱体４１の外周面に沿って、第２の半割柱体４２の外周面を沿わせるように回転させる。
このとき、第２の半割柱体４２の第２上部周面４２Ｔに跨いで配設された連結帯３１及び第２の半割柱体４２の第２下部周面４２Ｂに跨いで配設された連結帯３３は、第２半割柱体４２からそれぞれ剥がされて、連結帯３１は第１の半割柱体４１の第１上部周面４１Ｔに、連結帯３３は第１の半割柱体４１の第１下部周面４１Ｂに沿って巻き付けられていく。同時に、第１の半割柱体４１の第１中部周面４１Ｍに跨いで形成されていた連結帯３２は第１の半割柱体４１から剥がされて第２の半割柱体４２の第２中部周面４２Ｍに沿って巻き付けられていく。
【００４７】
こうして、連結帯３１〜３３のいずれも、第２の半割柱体４２の回転方向に沿って、裏面部３１ｂ〜３３ｂが現れはじめるとともに、それまで連結帯３１，３３で覆われていた第２の半割体４２の第２上部周面４２Ｔ及び第２下部周面４２Ｂの表面と、連結帯３２で覆われていた第１の半割柱体４１の第１中部周面４１Ｍが現われてくる。
【００４８】
そして、第２の半割柱体４２がさらに１８０度回転して、図８（ｃ）に示すように、第１、第２の半割柱体４１，４２の位置が左右入れ替わると、外表面全体が、第２上部周面４２Ｔ、連結帯３２の裏面部３２ｂ、第２下部周面４２Ｂ、連結帯３１の裏面部３１ｂ、第１中部周面４１Ｍ、及び連結帯３３の裏面部３３ｂにより、白を基調とするデザインで表示されることになる。
【００４９】
このように、３枚の連結帯３１、３２，３３を用いた本実施形態においても、表面に表示されるデザインを瞬時に変化させることができるので、玩具として子供の関心や興味を持続的に引きつけることができるようになる。
【００５０】
なお、上述してきた変形例では、理解を容易にするために、玩具表面に表出されるデザインを、単純に黒を基調とするもの、白を基調とするものとしたが、時代にマッチした流行のデザインなどを採用したより複雑なデザインとすることができる。
【００５１】
（他の実施形態）
以下、上述した玩具で説明したところの、一対の半割柱体１１ａ，１１ｂを、前記半割面５１，５２を下方にして左右に並置した状態で、表面側と裏面側でそれぞれ異なる表示面を備えた少なくとも２枚の連結帯１２，１３で連結し、しかも、前記連結帯１２，１３のうち、第１の連結帯１２（１３）は、左の半割柱体１１ａ（１１ｂ）の左外縁部と右の半割柱体１１ｂ（１１ａ）の左外縁部とを、左の半割柱体１１ａ（１１ｂ）の半柱体周面を跨いだ状態で連結し、第２の連結帯１３（１２）は、左の半割柱体１１ａ（１１ｂ）の右外縁部と右の半割柱体の右外縁部とを、右の半割柱体の半柱体周面を跨いだ状態で連結し、前記一対の半割柱体１１ｂ（１１ａ）の半割面５１，５２同士を突き合わせた状態の柱体１１の外表面と、この状態から、少なくとも一方の半割柱体１１ａ（１１ｂ）を他方の半割柱体１１ｂ（１１ａ）の半柱体周面に沿わせて回転させ、再び前記半割面５１，５２同士を突き合わせた状態の柱体１１の外表面とで、異なる表示態様を表出する可変表示構造を備えた他の実施形態について説明する。なお、実施形態１で示した変形例については、各実施形態に適用することができる。
【００５２】
（実施形態２）
図９は、本発明の応援グッズに係わる一実施形態を示す説明図である。応援グッズは上述した玩具の構成と具体的には同様であり、図１〜図４で示した構造を有している。すなわち、前述した半割面５１，５２同士を突き合わせたときに所定の柱体１１を構成可能な一対の半割柱体１１ａ，１１ｂを形成し、前記一対の半割柱体１１ａ，１１ｂを、前記半割面５１，５２を下方にして左右に並置した状態で、表面側と裏面側でそれぞれ異なる表示面を備えた少なくとも２枚の連結帯で連結し、前記連結帯のうち、第１の連結帯１２は、左の半割柱体１１ａの左下外縁部１４ａと右の半割柱体１１ｂの左下外縁部１５ａとを、左の半割柱体１１ａの半柱体下部周面２２ｂを跨いだ状態で連結し、連結帯１３は、左の半割柱体１１ａの右上外縁部１４ｂと右の半割柱体１１ｂの右上外縁部１５ｂとを、右の半割柱体１１ｂの半柱体上部周面２３ｂを跨いだ状態で連結し（図１参照）、前記一対の半割柱体１１ａ，１１ｂの半割面５１，５２同士を突き合わせた状態の第１の柱体外表面と、この状態から、少なくとも一方の半割柱体１１ａ（１１ｂ）を他方の半割柱体１１ｂ（１１ａ）の半柱体周面に沿わせて回転させ、再び前記半割面同士を突き合わせた状態の第２の柱体外表面とで、異なる表示態様を表出する可変表示構造を備えている（図４参照）。
【００５３】
そして、この実施形態２において特徴的な構成は、前記一対の半割柱体１１ａ，１１ｂの半割面５１，５２それぞれに、両半割面５１，５２同士を合わせたときに、互いに反発するようにマグネット５１ａ，５２ｂを配設している。
【００５４】
かかる構成により、一対の半割柱体１１ａ，１１ｂを閉じて合わせるとき（本図矢視参照）、一方の半割柱体１１ａの半割面に設けたマグネット５１ａと他方の半割柱体１１ｂの半割面に設けたマグネット５２ｂとが磁力によって反発し、柱体１１からなる応援グッズを手に持って、両半割柱体１１ａ、１１ｂを閉じたり、反発力によって開いたりすることで、カスタネットや拍子木のような音を出すことができるようになる。従って、ベースボールの観戦グッズとして、拍子音を出すことができるようになる。また、この表示部も半割柱体１１ａ、１１ｂを回転させて表示部を変えることができるので、ホームゲーム用、ビジター用というように使い分けたり、あるいは、ラッキーセブンの回では他の回のときとは表示を変えて応援したりすることができるようになり、野球の応援グッズとして最適な構成とすることができる。
【００５５】
また、カスタネットのように使用する場合に２種類の異なる音がでるように、半割柱体１１ａ、１１ｂを回転させたときに半割柱体１１ａ，１１ｂ開放端部となる部分の材質を変えておくこともできる。すなわち、図９において、マグネット５１ａ、５２ｂのＮ極側の半割柱体１１ａ，１１ｂの材質と、Ｓ極側の半割柱体１１ａ，１１ｂの材質とを互いに異ならせておけば、この応援グッズを手にしてカスタネットのように両半割柱体１１ａ、１１ｂを閉じたり開いたりして解放端部同士を衝突させたときに、音質が異なるようにするのである。
【００５６】
したがって、一対の半割柱体１１ａ，１１ｂの半割面５１，５２同士を突き合わせた状態の第１の柱体外表面と、この状態から、少なくとも一方の半割柱体５１（５２）を他方の半割柱体５２（５１）の半柱体周面に沿わせて回転させ、再び前記半割面同士を突き合わせた状態の第２の柱体外表面とでは異なる表示態様が表出されるとともに、半割面５１，５２のうち、連結体１２，１３で連結された閉塞端縁となる部分を基部側にして手にもってカスタネットのように用いると、表示態様が異なるのに対応して発せられる音質も異なるものとなって、応援グッズとしての用途を多様化することができる。
【００５７】
（実施形態３）
図１１及び図１２は、本発明のケースに係わる一実施形態を示す説明図である。本実施形態では、ケースを「ふりかけ」の収納容器として説明する。ケースは、前述してきた玩具や応援グッズの構成と具体的には同様であり、図１〜図４で示した構造を有しているが、ここでは、ケース（収納容器）となるため、半割柱体１１ａ，１１ｂはそれぞれ内部収容空間が形成された中空体としている。
【００５８】
図１１（ａ）に示すように、収納容器を構成する一対の中空の半割柱体１１ａ，１１ｂの半柱体周面には、内部のふりかけ収納空間と連通する開口６１ａ，６１ｂが形成されている。そして、この図１１（ａ）に示した状態では、一方の半割柱体１１ａに形成された開口６１ａは外面に露出しているため、この開口６１ａを下方に向ければ内部に収納した第１種のふりかけＡを排出することができるが、他方の半割柱体１１ｂに形成された開口６１ｂは連結体１３によって被覆されているため外面には露出しておらず、この半割柱体１１ｂの内部に収容された第２種のふりかけＢは、開口６１ｂから外部に取り出すことができない。
【００５９】
そして、図１１（ｂ）、図１２（ａ）及び図１２（ｂ）に示すように、連結体１２，１３が反転するように、一対の半割柱体１１ａ，１１ｂの半割面５１，５２同士を突き合わせた状態の第１の柱体外表面と、この状態から、少なくとも一方の半割柱体５１（５２）を他方の半割柱体５２（５１）の半柱体周面に沿わせて回転させ、再び前記半割面同士を突き合わせた状態では、半割柱体１１ｂに形成された開口６１ｂは外面に露出しているため、この開口６１ｂを下方に向ければ内部に収納した第２種のふりかけＢを排出することができるが、一方の半割柱体１１ａに形成された開口６１ａは連結体１３によって被覆されているため外面には露出しておらず、この半割柱体１１ａの内部に収容された第１種のふりかけＡは、開口６１ａから外部に取り出すことができない。
【００６０】
そして、図１１（ａ）に示した状態では、半割柱体１１ａの外表面及び連結体１２，１３の表面により表われる収納容器の外観デザインは、半割柱体１１ａ内に収納された第１種のふりかけＡに関連したデザイン（図柄、文字など）が表示されているため、そのデザインが表示されている状態では、それに関連した第１種のふりかけＡのみが排出される。一方、図１２（ｂ）に示した状態では、半割柱体１１ｂの外表面及び連結体１２，１３の裏面により表われる収納容器の外観デザインは、半割柱体１１ｂ内に収納された第２種のふりかけＢに関連したデザイン（図柄、文字など）が表示されているため、そのデザインが表示されている状態では、それに関連した第２種のふりかけＢのみが排出される。
【００６１】
このように、本実施形態によれば、半割柱体１１ａ，１１ｂごとに種類の異なるふりかけを収納して、外観上１つの収納容器でありながら２種類のふりかけがそれぞれ独立して収納された状態とし、しかも、収納容器の外表面の表示態様に応じたふりかけを、他のふりかけと間違うことなく簡単に取り出すことができる。収納容器の外表面のデザインに人気キャラクタなどを使用すれば、そのキャラクタの表示が手品のように変化して、その表示されたキャラクタに関連するふりかけのみが収納容器から出てくることになり、特に、子供たちに喜んで受け入れられやすくなる。
【００６２】
また、本実施形態に係るケースは、「ピルケース」としても利用することができる。
上述したように、付き合わされて収納容器を構成する一対の半割柱体１１ａ，１１ｂは、それぞれ内部収納空間が形成されており、この内部収納空間は、開口６１ａと開口６１ｂとにそれぞれ１対１で対応して連通している。したがって、上述のふりかけ同様に、内部収納空間それぞれに種類の異なる薬剤を収容しておき、ピルケースの外表面の表示態様に応じた薬剤を、他の薬剤と間違うことなく簡単に取り出すことができるようになる。
【００６３】
また、前述したように、連結体としては３本以上とすることもできるため、連結体によって隠される位置にそれぞれ開口を設け、各開口と１対１で対応する内部収容空間が形成されるように、半割柱体１１ａ，１１ｂの内部を仕切れば、２種類のみならず多種類の薬剤を収納するピルケースとすることができ、開口が露出するときのピルケースの外表面には、開口から取り出す薬剤の説明などが表示されるようにしておくことができる。なお、ピルケースとして使用する場合、開口には、例えば手動によりスライドするシャッタなどを設けておくことが好ましい。
【００６４】
また、このようにケースとして用いる場合、一対の半割柱体１１ａ，１１ｂからなる筒状のケースが勝手に開放されることがないように、半割柱体１１ａ，１１ｂ同士を連結する手段を備えた構成とすることよい。
【００６５】
例えば、連結手段として、前記一対の半割柱体１１ａ，１１ｂの半割面５１，５２それぞれにマグネットを配設し、両半割面５１，５２同士を合わせたときに磁着可能とすることができる。すなわち、実施形態２で説明したマグネット５１ａ，５２ｂ（図９参照）の一方を磁極が逆になるように配置して、両半割面５１，５２同士を合わせたときに磁着するように構成するのである。
【００６６】
（実施形態４）
図１０は、本発明のストラップに取り付けられる装飾体の一実施形態を示す説明図である。装飾体は、前述してきた玩具、応援グッズ、ケースの構成と基本的には同じ構造であるが、ここでは、一方の半割柱体の頂部端面５０に、紐取り付け部４１を形成している。
【００６７】
これにより、表示部を入れ替え可能なストラップ用の装飾体として、例えば携帯電話などに取り付けることができ、そのときの気分や、あるいは服装などに応じて、装飾体の外部表面の表示態様を入れ替えることができ、従来のストラップ用装飾体に比べて付加価値が高くなる。また、この装飾体は、キーホルダーとしても使用できることは言うまでもない。
【００６８】
以上、説明してきた実施形態から、以下の玩具、応援グッズ、ケース、ストラップ用装飾体又はキーホルダーが実現される。
【００６９】
半割面５１，５２同士を突き合わせたときに所定の柱体１１を構成可能な一対の半割柱体１１ａ，１１ｂを形成し、前記一対の半割柱体１１ａ，１１ｂを、前記半割面５１，５２を下方にして左右に並置した状態で、表面側と裏面側でそれぞれ異なる表示面を備えた少なくとも２枚の連結帯１２，１３で連結し、しかも、前記連結帯１２，１３のうち、第１の連結帯１２（１３）は、左の半割柱体１１ａ（１１ｂ）の左外縁部と右の半割柱体１１ｂ（１１ａ）の左外縁部とを、左の半割柱体１１ａ（１１ｂ）の半柱体周面を跨いだ状態で連結し、第２の連結帯１３（１２）は、左の半割柱体１１ａ（１１ｂ）の右外縁部と右の半割柱体の右外縁部とを、右の半割柱体の半柱体周面を跨いだ状態で連結し、前記一対の半割柱体１１ｂ（１１ａ）の半割面５１，５２同士を突き合わせた状態の柱体１１の外表面と、この状態から、少なくとも一方の半割柱体１１ａ（１１ｂ）を他方の半割柱体１１ｂ（１１ａ）の半柱体周面に沿わせて回転させ、再び前記半割面５１，５２同士を突き合わせた状態の柱体１１の外表面とで、異なる表示態様を表出する可変表示構造を備えた玩具。
【００７０】
前記連結帯１２，１３は、交換可能である玩具。
【００７１】
半割面５１，５２同士を突き合わせたときに所定の柱体１１を構成可能な一対の半割柱体１１ａ，１１ｂを形成し、前記一対の半割柱体１１ａ，１１ｂを、前記半割面５１，５２を下方にして左右に並置した状態で、表面側と裏面側でそれぞれ異なる表示面を備えた少なくとも２枚の連結帯１２，１３で連結し、しかも、前記連結帯１２，１３のうち、第１の連結帯１２（１３）は、左の半割柱体１１ａ（１１ｂ）の左外縁部と右の半割柱体１１ｂ（１１ａ）の左外縁部とを、左の半割柱体１１ａ（１１ｂ）の半柱体周面を跨いだ状態で連結し、第２の連結帯１３（１２）は、左の半割柱体１１ａ（１１ｂ）の右外縁部と右の半割柱体の右外縁部とを、右の半割柱体の半柱体周面を跨いだ状態で連結し、前記一対の半割柱体１１ｂ（１１ａ）の半割面５１，５２同士を突き合わせた状態の柱体１１の外表面と、この状態から、少なくとも一方の半割柱体１１ａ（１１ｂ）を他方の半割柱体１１ｂ（１１ａ）の半柱体周面に沿わせて回転させ、再び前記半割面５１，５２同士を突き合わせた状態の柱体１１の外表面とで、異なる表示態様を表出する可変表示構造を備え、さらに、前記一対の半割柱体１１ａ，１１ｂの半割面５１，５２それぞれに、両半割面５１，５２同士を合わせたときに、互いに反発するようにマグネット５１ａ，５１ａを配設した応援グッズ。
【００７２】
それぞれ内部収納空間（例えば、ふりかけ収納空間や錠剤収納空間）を有し、半割面５１，５２同士を突き合わせたときに所定の柱体１１を構成可能な一対の半割柱体１１ａ，１１ｂを形成し、前記一対の半割柱体１１ａ，１１ｂを、前記半割面５１，５２を下方にして左右に並置した状態で、表面側と裏面側でそれぞれ異なる表示面を備えた少なくとも２枚の連結帯１２，１３で連結し、しかも、前記連結帯１２，１３のうち、第１の連結帯１２（１３）は、左の半割柱体１１ａ（１１ｂ）の左外縁部と右の半割柱体１１ｂ（１１ａ）の左外縁部とを、左の半割柱体１１ａ（１１ｂ）の半柱体周面を跨いだ状態で連結し、第２の連結帯１３（１２）は、左の半割柱体１１ａ（１１ｂ）の右外縁部と右の半割柱体の右外縁部とを、右の半割柱体の半柱体周面を跨いだ状態で連結し、前記一対の半割柱体１１ｂ（１１ａ）の半割面５１，５２同士を突き合わせた状態の柱体１１の外表面と、この状態から、少なくとも一方の半割柱体１１ａ（１１ｂ）を他方の半割柱体１１ｂ（１１ａ）の半柱体周面に沿わせて回転させ、再び前記半割面５１，５２同士を突き合わせた状態の柱体１１の外表面とで、異なる表示態様を表出する可変表示構造を備え、しかも、前記各半割柱体１１ａ（１１ｂ）の前記半割面５１（５２）を除く外周面であって、前記第１の連結体１２（１３）又は第２の連結帯１３（１２）で覆われる位置に、前記内部収納空間から収納物を取出す収納物取出口６１ａ（６１ｂ）をそれぞれ形成したケース。
【００７３】
また、前記一対の半割柱体１１ａ，１１ｂの半割面５１，５２それぞれにマグネットを配設し、両半割面５１，５２同士を合わせたときに磁着可能としたケース。
【００７４】
ストラップに取り付けられる装飾体であって、割面５１，５２同士を突き合わせたときに所定の柱体１１を構成可能な一対の半割柱体１１ａ，１１ｂを形成し、前記一対の半割柱体１１ａ，１１ｂを、前記半割面５１，５２を下方にして左右に並置した状態で、表面側と裏面側でそれぞれ異なる表示面を備えた少なくとも２枚の連結帯１２，１３で連結し、しかも、前記連結帯１２，１３のうち、第１の連結帯１２（１３）は、左の半割柱体１１ａ（１１ｂ）の左外縁部と右の半割柱体１１ｂ（１１ａ）の左外縁部とを、左の半割柱体１１ａ（１１ｂ）の半柱体周面を跨いだ状態で連結し、第２の連結帯１３（１２）は、左の半割柱体１１ａ（１１ｂ）の右外縁部と右の半割柱体の右外縁部とを、右の半割柱体の半柱体周面を跨いだ状態で連結し、前記一対の半割柱体１１ｂ（１１ａ）の半割面５１，５２同士を突き合わせた状態の柱体１１の外表面と、この状態から、少なくとも一方の半割柱体１１ａ（１１ｂ）を他方の半割柱体１１ｂ（１１ａ）の半柱体周面に沿わせて回転させ、再び前記半割面５１，５２同士を突き合わせた状態の柱体１１の外表面とで、異なる表示態様を表出する可変表示構造を備え、さらに、一方の半割柱体１１ｂ（１１ａ）の頂部端面５０に紐取り付け部４１を形成した装飾体又はキーホルダー。
【００７５】
なお、図示しないが、上述した玩具や装飾体は、外表面に外国語で書いた単語や熟語などが表示され、一方の半割柱体１１ｂ（１１ａ）を回転移動させると、外国語で書いた単語や熟語などに対応する日本語の単語や熟語が表示されるように構成することができ、これにより、語学の習得に適した言語補助装置として利用することもできるようになる。
【図面の簡単な説明】
【００７６】
【図１】本発明の一実施形態に係る可変表示構造を備えた玩具の説明図である。
【図２】連結帯のデザインを別の異なるデザインに変える動作を示した説明図である。
【図３】一方の半割柱体が他方の半割柱体の半柱体周面に沿って回転移動した後の外観を示す説明図である。
【図４】表面デザインを、別の異なるデザインに変える通常の方法を示す説明図である。
【図５】表示部の一構成を示した説明図である。
【図６】変形例に係わる玩具の説明図である。
【図７】変形例に係わる玩具の説明図である。
【図８】変形例に係わる玩具の説明図である。
【図９】応援グッズに係わる一実施形態を示す説明図であるである。
【図１０】ストラップに取り付けられる装飾体の一実施形態を示す説明図である。
【図１１】ケースに係わる一実施形態を示す説明図である。
【図１２】ケースに係わる一実施形態を示す説明図である。
【符号の説明】
【００７７】
１１    柱体
１１ａ，１１ｂ  半割柱体
１２，１３  連結帯
１２ａ    連結帯１２の表面側
１２ｂ    連結帯１２の裏面側
１３ａ    連結帯１３の表面側
１３ｂ    連結帯１３の裏面側
４１  紐取り付け部
５１ａ，５１ｂ    マグネット
【図１】
2010115269.tif 000003
【図２】
2010115269.tif 000004
【図３】
2010115269.tif 000005
【図４】
2010115269.tif 000006
【図５】
2010115269.tif 000007
【図６】
2010115269.tif 000008
【図７】
2010115269.tif 000009
【図８】
2010115269.tif 000010
【図９】
2010115269.tif 000011
【図１０】
2010115269.tif 000012
【図１１】
2010115269.tif 000013
【図１２】
2010115269.tif 000014